(57)【要約】      （修正有）【課題】ｎゲームのｎ数より小さくても、容易に正確で見栄え良く快適な競技ができるようにした競技盤を形成する。【解決手段】色駒又はその数字駒を用いるｎゲーム器を透明で合同な表面からゲーム盤が見える状況で２段側壁の箱を重ねられるようにし、クッションや仕切り板を用いた携帯可能なｎゲームまで用の携帯ゲーム器。競技盤を２段箱の合同の２箱にし、競技終了後にも直ちに次回の競技が簡単に行なえ、片づける必要なしとするようにする。【選択図】図１
0003133094.tif 000002
【実用新案登録請求の範囲】
【請求項１】
ｎゲームのｎ競技盤のｎ数をを限定せずに、ｎ数が３から２桁のゲーム各種が可能であるように、競技盤の表面を、適当な厚さの透明な通常は正方形状の平面の周囲の縁の下側に、その厚さ程度前後の厚さで一定の高さの縁を接続して逆さ箱状にして囲んだ部分のこれらを上箱の上段とし、この上箱上段縁の下端縁部の外側にその厚さ程度を密着させるように、同様な厚さで１回り分大きく一定の高さの縁を設定して下段側面とするのに、この２段箱状の下段の内面に限っては、下端の内法は上段下面外幅の直下の内法よりもわずかに大きくしてあるようにし、この逆さ２段箱全体を上箱とするのに、これと全く合同な別な逆さ２段箱を下箱として、後者の上段は前者の下段の内面の空間内に、ほぼピッタリでしかも容易に入れ出しできるようにしてある連結物とした、これら合同な２体を、これに、上箱の上段の内部の内法よりも少し小さくて適当な厚さの通常は正方形でも、上段内面内に突出させた仕切り板止めで上昇不能を、表面と平行のままでそれらの垂直軸の周囲に少し回転できる様に正方形の１対の辺の１部が弧状で、それ等の中点辺りの外れ止めを通り上昇でき、逆回転で止まる様にし、上段表面の内面と仕切り盤との間に、これと同大のビニール空気玉クッションの上に、ｎゲームとそれ以下のゲーム盤を記載した競技盤紙を適宜挿入した１式を仕切り板で収容した上箱と、この上箱と全く合同の下箱との１組とを１対として、下箱の表面には、ゲームで使用する、適当な大きさのｎゲーム用のｎ２個の通常は正方形の色駒又はその数字駒を、その全ての中心部に穿った凹み又は穴に、下箱表面上に設置の（２ｎ−１）２個の突起部に１個飛びに入れ、全駒がその位置を勝手に移動しないような状況にさせてあるような、透明な上箱表面からはその内面に置いたゲーム盤のますが明確に見えて競技ができるように形成させ、各箱の下段の適当な位置には、上下の箱が容易に外れないように、下段中央辺りに逆さ３角形状の外れ止め凸部を適当数設置し、これに対応する各箱の上段の側面外部には、逆さ３角形状の外れ止め陥没部を設置した様にして、携帯に便利にした、ｎゲームまで用の携帯ゲーム器。
【請求項２】
前請求項における合同な２個の２段箱のｎゲームまで用の携帯ゲーム器の両上段の表面の通常は正方形の平面の上に、その通常は正方形の平面の中中心点から、使用するｎゲームの、通常は正方形の色駒の縦横のそれぞれの半分の幅よりもやや大きいそれぞれの幅で、その表面上での上下の縦と左右の横とに（２ｎ−１）個ずつの点を打った位置に、それらの全（２ｎ−１）２個の点を中心として、通常はそれらの点を通り上段の表面の正方形の面と垂直に軸をとるような、比較的に小さな適当な半球状や円柱形、あるいは角柱状で高さが色駒の厚さと比べて適当に決めた高さの突起物を設置し、その上下左右に１つ置きの突起に、正方形等の色駒の中心部にはそれらが楽に入る円形穴か凹み等を明けてあり、色駒の４隅と各辺の中点には３角形状とか円弧状の刻み等を設置する場合もあるが、後者は色駒の大きさがゲーム盤のますの大きさよりも小さ過ぎる場合等によっては設定しないでもすむような、色駒の１群をも用いるようにした、ｎゲームまで用の携帯ゲーム器。
【請求項３】
前請求項１と２で、ｎゲームに用いる色駒の裏面に、囲碁、将棋、更にチェス等の文字や数字、記号、色等をも適宜に併記する場合には、それらの競技が近似的に競技できるような盤面をも印刷した紙面等を付帯させた、ｎゲームまで用の携帯ゲーム器。
【考案の詳細な説明】
【技術分野】
【０００１】  本考案は、競技盤としての形態に付いては、本考案者が考案した非特許文献１や同２の考案があるだけで、他での事例は過去にはなかった技術である。
【背景技術】
【０００２】  改善前の考案によれば、携帯用の容器からの競技盤からの出し入れがスムーズにできるとは言えず、また、箱形にしても機能的にも機動的にも優れていたとは言えない複雑すぎていた。そこでの、更なる改良を余儀なくされた結果の、本考案の提出となったものであっても、基本は、非特許文献１等に起因しているので、その提出から半年経過の状況であるからには、世間では未知の考案であると言える。【０００３】
【非特許文献１】  「実用新案登録証」登録第３１２３６７５号（第１図）  考案者は本実用新案登録出願者
【非特許文献２】  「平成１８年８月２８日提出、実用新案登録願」
【考案の開示】
【考案が解決しようとする課題】
【０００４】  上に述べた既登録考案での競技者自身の競技体制を瞬時に可能とさせる機能的な競技盤とすると同時に、携帯時に、本器だけの持参で任意多種のナッピーゲームが楽しめるようにしたいとの課題が前提である。
【課題を解決するための手段】
【０００５】  上に述べた新規の「非特許文献１」等の考案の実用内容の改良と発展の目的を達成するための手段を述べる。【０００６】  上の課題を解決するためには、第１に、最も単純な形態としての、透明な容器面下にゲーム紙を置くことには変化はないが、色駒等のｎゲーム用の駒を直ちに利用できるようにする欲求に応える。【０００７】  第２に、盤面と色駒群とは別な容器に収容する。【０００８】  第３に、２個の容器は合同形態が良い。【０００９】  第４に、そのためには、容器を２段構えとするのが良い。【００１０】  第５に、色駒に記載の色駒の盤面からの移動や脱落を防止するには、色駒に穴や凹みを明けて盤面に突起を設ければ良い。【００１１】  第６に、ゲーム用紙の束は、片方の上段に全部収容するが、その弛みを防止するには、仕切り板を上箱の内面から外れないような工夫をすれば良いとする。【００１２】  第７に、ゲーム紙の上箱上段内上面からの弛み防止にクッションを挿入すれば紙弛みを、効果的に防止できるから、仕切り板と紙束との間にクッションを入れれば良く、そのクッションを押し上げる仕切り板を固定させるが、仕切り板面内で回転させれば可能である。【００１３】  第８に、上下合同容器の箱の２個を重ねたときに、両者が勝手に外れないように適当な両者の外れ止めを上段側面と下段内側面に設置する。【００１４】  第９に、上箱と下箱との分離がしやすくするための、取手としての、通常は凹み等を適当な位置に設置する。【００１５】  第１０に、前出仕切り板は、下側の箱容器上面上に並べてある色駒群の散逸防止にその上に載せるようにするが、クッション等をも挟む場合もある。
【考案の効果】
【００１６】  以下に、本考案の実施の形態を図１〜図４に基づいて説明をする。【００１７】  本考案の実例の１形態としては、図１に示したような、（ａ）は上箱１の２段状の概観で、上面には（２ｎ−１）２個の突起５や図３の２９が整然と突出しており、前者では縦横１５個ずつの色駒又はその数字駒（以下色駒と略す）１１が並べられる様に描かれてあるから、ｎ＝８の場合であるとして、同図（ｂ）の下箱上段上面上には縦横に最大８個ずつの色駒１１群が記載してある。【００１８】  前項の図１（ｂ）の色駒１１群の周囲と下箱上段上面１５の残り幅に付いては、図面では狭く描いてあるが、上箱の、図４での下段内上段突出部端３５が、上箱を下箱に被せた時に密着するので、実際には、その分だけ空き場所があるように設計してなければならないので、この意味からは、図１（ａ）（ｂ）では、１駒少ない７ゲーム用の競技盤として形成してあったとする方が正しいと言える。【００１９】  図４の上箱上段内上面３１と下段内上面３３との間の縦幅は、色駒の厚さと本考案の各種のゲーム盤用紙の全部まとめた厚さと、図には示してないが、挿入する色駒群の上面に載せる予定の仕切り板の厚さに、ビニール等の空気玉を連続させたクッションのわずかに圧縮させた時の厚さ等の合計程度の寸法をとるように設計してある。【００２０】  図１（ａ）（ｂ）の上箱と下箱とを７ゲーム用として重ねたときには、１例として、第３図の上箱の透明な表面６から７ゲームの特定区画太線３０の特殊な国の形態の組み合わせの競技盤が、競技者の興味を沸き立たせるように浮き出ている状況を示している。【００２１】  前項の上箱の表面６上に競技者の数人が、最初は色駒１１群の自由な配置による色彩の変化を楽しむ状況から、終盤での平和平等地球の国々の建設を最初に達成する競技に、目を見張り輝かす状況に至るが、終了後には、片づけをせずとも、そのまま上箱１の表面上に色駒１１が雑に並べたままでも、傍らに置いてある色駒のなくなった下箱を、上箱の上に重ねれば、そのままで、片づけ終了としてしまう事ができる形態で、これが、本考案の最大の特色としており、簡便操作の利便性の高さが１番の特性ともなっている。【００２２】  次の競技の場合には、下箱になっているその上段内からｎから下の数字の中のゲーム盤紙を取り出すには、下箱の上に載っている色駒を落とさないように、上段内部の内面に留められてある仕切り板４６を下側から静かに水平に回転させ、外れ止め４４、４５が仕切り板止め４２、４３から外れるようにし、外してから、次にする競技用のゲーム盤紙を１番上にして、そばに置いてある下箱だった箱の上段内面に密着させるように用紙群に続いて下側にビニール空気玉クッション、仕切り板４６と入れて後に、仕切り板４６を静かに水平に回転させ、外れ止め４４、４５が仕切り板止め４２、４３が仕切り板４６の下側に出るようにし、出たら仕切り板４６を水平に逆回転させて仕切り板４６が安定するようにしてから、競技を開始する。
【産業上の利用可能性】
【００２２】  本案の製作には、プラスチック成型と、色駒の材質に関する物質による成型又はラベル等の特殊印刷、盤面用紙やその印刷等の多種の産業に利用性が大である。
【図面の簡単な説明】
【００２３】
【図１】  本考案の実施形態の１例を示す（ａ）は透明な上箱の上下２段状の鳥瞰図で、（ｂ）下箱の透明表面の上に色駒をぎりぎりまでに並べた状況を示した鳥瞰図
【図２】  本考案で用いるゲーム盤の表面に並べる色駒の１枚の裏面の状況を例示した平面図
【図３】  本考案の下箱の上に上箱を重ねた状況と透明な上箱表面から内部の７ゲーム盤が見える状況を示した鳥瞰図
【図４】  本考案の合同な箱の１個の１部欠落させた内部を見せた側面図
【図５】  本考案で使用する仕切り板の１例の平面図
【符号の説明】
【００２４】１  上箱
２  上箱下段上面
３  下段側面
４  上段側面
５  突起
６  表面
７  取手
８  下段内面角
９  下段内下面内角
１０  下段下縁
１１  色駒又はその数字駒
１２  上段側面
１３  下段側面
１４  下段上面
１５  上段上面
１６  突起又は色駒の穴
１７  色駒等角部
１８  色駒の上端
１９  凹み
２０  将棋駒名称
２１  色駒裏面色部
２２  碁用白黒表示円
２３  チェス駒英名
２４  チェス駒邦名
２５  色番号逆記載部
２６  上下箱重ね目
２７  上箱透明面より見える７ゲーム盤
２８  盤面上駒区切り縦横線
２９  突起
３０  特定区画太線
３１  上箱上段内上面
３２  外れ止め陥没部
３３  下段内上面
３４  下外れ止め凸部
３５  下段内上段突出部端
３６  下段内側面
３７  下段最下面
３８  上箱下段部
３９  下箱下段部
４０  色番号記載部
４１  凹み又は穴
４２  仕切り板止め
４３  仕切り板止め
４４  外れ止め
４５  外れ止め
４６  仕切り板
【図１】
0003133094.tif 000003
【図２】
0003133094.tif 000004
【図３】
0003133094.tif 000005
【図４】
0003133094.tif 000006
【図５】
0003133094.tif 000007
【手続補正書】
【提出日】平成18年12月5日(2006.12.5)
【手続補正１】
【補正対象書類名】実用新案登録請求の範囲
【補正対象項目名】全文
【補正方法】変更
【補正の内容】
【実用新案登録請求の範囲】
【請求項１】
最大整数Ｎ以下の整数をｎとしてｎゲームが利用できる様に、その表面（６）を適当な厚さで弾力もある通常は正方形で、その周囲の外側縁の下側に、同程度の厚さで一定の高さの縁を接続して逆さ箱状に囲んだこれらを上段側面部とし、これを一周する外側に密着の下側に同程度の厚さで適当な高さの下段側面部（３）を設定するのに、この逆さ２段箱状の下段内側面（３６）の下端の内法は上段外側の幅よりもわずかに大きくしてあり、その上段の表面（６）の上面には（２Ｎ−１）２個の適当な大きさで合同な突起が縦横に（２Ｎ−１）個ずつ等距離宛の位置に設置してあり、時にはそれら全体の周囲に適当な幅と高さの保護壁（３９）を表面外側縁に設置する場合には、その直下外側の上段側面（４）の下側外側に下段上面（２）があって、その下側外側には下段側面（３）があり、その内面の平行２面の内側幅が保護壁又は表面の外側平行２面間の幅よりも少し大の大きさに設定した逆さ２段箱状としてある、その箱（１）全体の複数個を１組として構成させた、これらに更に、１辺が最近隣接の２個分の突起（５）間の２倍幅よりも少し小さい幅を１辺とする正方形状の、その面の中心に突起（５）が楽に入る穴を空けてある適当な厚さの色駒（１１）のＮ２個と、表面突起（５）の全群の位置と同じ位置に穴を空けた、保護壁内面間距離よりも少し小さい正方形状の、穴明きゲーム盤（４８）の各種適当枚を添付した、Ｎゲームまで用の携帯ゲーム器。
【手続補正２】
【補正対象書類名】明細書
【補正対象項目名】全文
【補正方法】変更
【補正の内容】
【考案の詳細な説明】
【技術分野】
【０００１】              本考案は、競技盤や色駒としての形態に付いてが、本考案者考案の非特許文献１や同文献２の考案があるだけで、他者での事例は過去にはなかった技術である。
【背景技術】
【０００２】              改善前の考案によれば、携帯用の容器からの競技盤からの出し入れがスムーズにできるとは言えず、また、箱形にしても機能的にも機動的にも優れていたとは言えない複雑すぎていた。そこでの、更なる改良を余儀なくされた結果の、本考案の提出となった基本は、非特許文献１等に起因しているので、その提出から半年経過の状況であるからには、世間では未知の考案である。【０００３】
【非特許文献１】「実用新案登録証」登録第３１２３６７５号（第１図）考案者は本実用新案登録出願者
【非特許文献２】「平成１８年８月２８日提出の実用新案登録願」、同補正書提出済み
【考案の開示】
【考案が解決しようとする課題】
【０００４】              上に述べた既登録考案での競技者自身の競技体制を迅速に機能的な競技盤とすると同時に、携帯時に、本器だけの持参で任意多種のナッピーゲームが２人乃至４人で楽しめるようにしたいとの課題が前提である。
【課題を解決するための手段】
【０００５】              上に述べた新規の「非特許文献１」等の考案の実用内容の改良と発展の目的を達成するための手段を述べる。【０００６】              上の課題を解決するためには、第１に、最も単純な形態としての、透明容器の表面上から透かし見る場合の盤面が間接見えの場合よりは直接に競技盤の区切り線が見えた方が確実で手応えある置き駒感触を、直ちに得て競技感覚の欲求に良く応えられる。【０００７】              第２に、競技盤面群と色駒群とは一緒の容器内に収容する。【０００８】              第３に、２個の容器は合同形態とすれば、経済性に優れる。【０００９】              第４に、そのためには、容器を２段構えとするのが良い。【００１０】              第５に、色駒に記載の色駒の盤面からの移動や脱落を防止するには、色駒に穴や凹みを明けて盤面に突起を設ければ良い。【００１１】              第６に、ゲーム盤の各種の束は、接続する下側の下段に全部収容するが、その弛みを防止するには、適当なクッション相等類を下箱の上段内面下部に入れる場合も工夫すれば良い。【００１２】              第７に、ゲーム盤の上箱上段内上面深さを減らせば、色駒群を競技途中でも上下の箱を交換すれば、その駒脱落防止でき、確実にするには、クッションを挿入すれば、効果的に防止できる。【００１３】              第８に、上下の２段箱の２個を重ねたときに、両者が勝手に外れないように適当な両者の外れ止めを上段側面と下段内側面に設置する。【００１４】              第９に、上箱と下箱との分離がしやすくするための、取手としての、通常は凹み等を適当な位置に設置すれば、箱数が増加した場合にも外しやすくなる。【００１５】              第１０に、複数個の箱全体を別な１個の簡単な箱に入れることで、散逸防止をさせる場合もある。
【考案の効果】
【００１６】              以下に、本考案の実施の形態を図１〜図７に基づいて説明をする。【００１７】              本考案の実例の１形態として、図１に示した本考案の逆さ２段箱１の立面図（ａ）と平面図（ｂ）を示す。【００１８】図１（ａ）の箱１の取手７側から眺めた平面図が２段状で、その平面図が図１（ｂ）であるが、真上から見た上面の表面６上には、整数Ｎを１２とした場合の、（２Ｎ−１）２個の突起５が整然と突出させており、その数は、縦横２３個ずつである。【００１９】図６には、箱１の表面６上に被せて各種のゲームが交換できるようにしたゲーム盤４８の最大限の場合の平面図の１例を示し、その上面には、色駒１１を全面に縦横に偶数の１２個ずつ全１４４個が並べられる様な１２ゲーム盤か描かれてある。【００２０】最大整数Ｎより小さいｎ＝７の奇数の場合であるとして、図７にも示した。【００２１】前２項「００１９」と「００２０」との両者は共に同一の中心穴部１８が箱１の中心と一致していることを示している事実は、突起５が色駒１１が１個について１個とする場合に比べて、ゲーム盤の見掛けが良くなることを示している。【００２２】図１（ｂ）の平面図をＡ−Ａで切断して矢印方向から眺めると、図２のようになる。即ち、図１の２段状の箱１は、図２の斜線で示した箱１の形成実体部の中側の空洞部が２段になっている下段空洞部のように、下段の空洞部は上段の実体部が少し緩めに完全に収容されてしまうように形成されてある。この時、外れ止め３４が凹部３２に嵌入するようになっている。【００２３】その上側の空洞部の横幅は図６、図７類の多数の競技盤を収容できる大きさになっている。【００２４】箱１の２個を上下に重ねると、その立面図は図５のようになり、上箱の外れ止め３４が上箱の凹部３２と嵌合している様子が示されてあるが、必要に応じて、重ねる箱１の数は増加できるようになっている。【００２５】              図５の上箱の下段上面２と上下箱重ね目２６との間の縦幅は両方の箱１の下段の縦幅に等しく、上箱と下箱との両者の下段内上段突出部３５間の距離に等しい。【００２６】              色駒１１の厚さと本考案の各種のゲーム盤多数の前「００２３」の残部とをまとめた厚さよりも空間がある場合には、、図には示してないが、挿入する色駒群の上面に載せる予定の、ビニール等の空気玉を連続させたクッションのわずかに圧縮させた時の厚さ等の合計程度の寸法をとるように設計する場合もある。【００２７】              図１の箱１の２個を重ねて図６や図７やのゲーム盤上の特定区画太線３０の特殊な国の形態構成の組み合わせの競技をしてから、終盤での平和平等地球の国々の建設を最初に達成した終了後には、片づけをせずとも、そのまま上箱１の表面上に色駒１１が雑に並べたままでも、傍らに置いてある色駒のなくなった下箱を、上箱の上に重ねれば、そのままで、片づけ終了としてしまう事ができる形態で、これが、本考案の最大の特色ともなっており、簡便操作の利便性の高さが１番の特性ともなっている。【００２８】前項「００２７」に次ぐ競技の場合には、下箱になっているその上段内からＮから下のその他の数字の中のゲーム盤紙を取り出すには、下箱の上に載っている色駒を落とさないように、上段��部の内面に留められてあるクッションや競技盤や下箱の色駒群の上の空間に入れてある競技盤類を静かに取り出し、目的の競技用のゲーム盤を１枚だけでも表面６上に、安定するように各穴４１を突起５に丁寧に差し込んでから、競技を開始する。【００２９】なお、最大整数Ｎを、Ｎ＝ｎ＋ｍ＋…．と表わせる小さい整数のｎ競技盤、ｍ競技盤…に分けての競技の組をやせるようにする場合も考えて、箱１を２個だけではなく、３個、４個…と重ねて同時一緒に販売等すれば、易しい競技を大勢で楽しめるようにもなるゆえ、そのような箱１を最少で３個にする場合もある。
【産業上の利用可能性】
【００３０】              本案の製作には、プラスチック成型と、色駒の材質に関する物質による成型又はラベル等の特殊印刷、盤面用紙やその印刷等の多種の産業に利用性が大である。
【図面の簡単な説明】
【００３１】
【図１】本考案の実施形態の１例を示す１個の箱の上下２段状を示す（ａ）はその立面図で、図１（ｂ）は同箱１の表面（６）の外周に保護壁を設置した場合での内側に最大整数Ｎ＝１２とした状況での１２２個の突起（５）の状況を示した平面図
【図２】図１（ｂ）に示した表面を切断面Ａ−Ａの矢印の向きに眺めた断面図
【図３】本考案で用いる色駒Ｎ個の中の１個の色番号７の色駒の表面の平面図
【図４】前図３の色駒の裏面の平面図
【図５】本考案の箱１の２個を上下に重ねた状況を示す立面図
【図６】本考案で用いる最大整数Ｎ競技盤のＮを偶数１２とした場合の１２２＝１４４個の穴４１を明けた１２競技盤
【図７】本考案で用いる最大整数Ｎ競技盤のＮより小さい奇数７を用いた７２＝４９個の穴４１を明けた７競技盤
【符号の説明】
【００３２】１．        箱
２．        下段上面
３．        下段側面
４．        上段側面
５．        突起
６．        表面
７．        取手
８．        下段内面凹角
９．        下段内下面内角
１０．      下段最下面
１１．      色駒
１２．      上段内側面
１３．      下段側面
１４．      下段上面
１５．      上段上面
１７．      色駒の突起５受け凹部
１８．      色駒の中心穴部
１９．      凹み
２０．      将棋駒名称
２１．      色駒裏面色部
２２．      碁用白黒表示円
２３．      チェス駒英名
２４．      チェス駒邦名
２５．      色番号
２５′．色番号逆記載部
２６．      上下箱重ね目
２７．      ７ゲーム盤
２８．      盤面上駒区切り縦横線
２９．      突起．
３０．      特定区画太線
３１．      上段内上面
３２．（外れ止め）凹部
３３．      下段内上面
３４．      外れ止め
３５．      下段内上段突出部
３６．      下段内側面
３７．色番号代表名
３８．下箱表面
３９．保護壁
４０．      色番号
４１．      穴
４４．外れ止め
４５．１２ゲーム盤
４６．升
４７．中心穴
４８．ゲーム盤
４９．下箱
５０．上下箱の上段内側面
【手続補正３】
【補正対象書類名】図面
【補正対象項目名】全図
【補正方法】変更
【補正の内容】
【図１】
0003133094.tif 000008
【図２】
0003133094.tif 000009
【図３】
0003133094.tif 000010
【図４】
0003133094.tif 000011
【図５】
0003133094.tif 000012
【図６】
0003133094.tif 000013
【図７】
0003133094.tif 000014
【手続補正書】
【提出日】平成19年3月30日(2007.3.30)
【手続補正１】
【補正対象書類名】実用新案登録請求の範囲
【補正対象項目名】全文
【補正方法】変更
【補正の内容】
【実用新案登録請求の範囲】
【請求項１】
最大整数Ｎ以下の整数をｎとしてｎゲームが利用できる様に、ゲーム器（４０）を、適当に弾性のある適当な厚さ大きさの板を用いて箱（１）として構成するのに、第１に、１辺の長さがＡの正方形面上にこの正方形の中心の点○を打ち、○から上下左右にこの正方形の縦横辺方向に全て等距離ａ毎に（Ｎ−１）個ずつの点を打つと点○加えた総数が（２Ｎ−１）２となるので、この各点に適当な合同な突起（５）を余さずに設置し、かつ、これらの外側に余った部分の幅が等距離の２倍前後の隙間が残るようにしておき、第２に、適当な厚さがＢで第１での板の厚さの４倍程度の幅Ｃの長板の幅の中央部に位置する様に第１の正方形を囲んで内側の形がＡの正方形にした正４角柱を作り、第３に、第２の長板で、内法が（Ａ＋２Ｂ）の正方形の枠を作り、第２の枠幅の半分程度の幅だけをはめ合わせて密着させた外観が大小の正４角柱の２重形態に於て、第４に、第２の囲み板が出ている４辺の各々の外側中央に幅方向に「へ」の字型の「凹み」（１９）を第１の正方形の板面方向に平行移動させたように設置し、第５に、第４での「へ」の字型に平行するように第３の正方形外枠の内側の面の中央部に、第４での「へ」の字型の型の横長よりも短めの「へ」の字型の突起物の「外れ止め」（３４）を第４の凹みに対応する様に設置し、第５に、第３での正方形枠の平行な１対の辺の外側に取り付けたり凹みを付けたりした「取手」（７）を設置して、外観が小さい正４角柱部分を上段とし、大きい正４角柱部分を下段と称する様にした、１箱のゲーム器が完成する形態の本体に対して、適当な厚さの、Ｎ種の、色と色番号（２５）や中心部に凹みや穴（１８）を開けたりした縦横が２ａよりも少し小さい正方形近似の色駒（１１）のＮ２個を添付したり、Ｎゲームまでの競技ができるｎ競技盤の各種をも添付して１箱１組１体として合同な２組の上箱下箱で１式とし、これにそれら全体の周囲に適当な幅と高さの、この箱（１）の、第１の正方形面上に設置の突起（５）の全てがはめ込める大きさの穴（４１）をＮ２個が穿ってあるゲーム盤（４８）の各種を添付し、時には、突起（５）やの表面（６）を保護するために、１個のゲーム盤（４８）の上段部分を全部覆うことが出来る、真っ平らか適当な曲面にした保護蓋（４４）を設置する場合がある様な、合同な単体のゲーム器（４０）の箱（１）の２体またはそれ以上の偶数体を上下に重ねることで、２体１式で最大４人でＮゲームが楽しめるために、その２体１式のゲーム器に付いて、上段内上面（３１）表面（６）の突起（５）の全群の位置と同じ位置に穴を空けたゲーム盤設置面（２）の正方形状の、穴明けしたゲーム盤（４８）の各種適当枚を添付した、Ｎゲームまで用の携帯ゲーム器。
【手続補正２】
【補正対象書類名】明細書
【補正対象項目名】全文
【補正方法】変更
【補正の内容】
【考案の詳細な説明】
【技術分野】
【０００１】  本考案は、競技盤や色駒としての形態に付いてが、本考案者考案の非特許文献１や同文献２の考案があるだけで、他者での事例は過去にはなかった技術である。
【背景技術】
【０００２】  改善前の考案によれば、携帯用の容器からの競技盤からの出し入れがスムーズにできるとは言えず、また、箱形にしても機能的にも機動的にも優れていたとは言えずで複雑すぎていた。そこでの、更なる改良を余儀なくされた結果の、本考案の提出となった基本は、非特許文献１等に起因しているので、その提出から半年経過の状況であるからには、世間では未知の考案である。【０００３】
【非特許文献１】  「実用新案登録証」登録第３１２３６７５号（第１図）  考案者は本実用新案登録出願者
【非特許文献２】  「平成１８年８月２８日提出の実用新案登録願」、同補正書提出済み
【考案の開示】
【考案が解決しようとする課題】
【０００４】  上に述べた既登録考案での競技者自身の競技体制を迅速に機能的な競技盤とすると同時に、携帯時に、本器だけの持参で任意多種のナッピーゲームが２人乃至４人で楽しめるばかりではなく４人単位の多数組もが楽しめる様にする課題もが前提である。
【課題を解決するための手段】
【０００５】  上に述べた新規の「非特許文献１」等の考案の実用内容の改良と発展の目的を達成するための手段を述べる。【０００６】  上の課題を解決するためには、第１に、最も単純な形態としての、透明容器の表面上から透かし見る場合の盤面が間接見えの場合よりは直接に競技盤の区切り線が見えた方が確実で手応えある置き駒感触を、直ちに得て競技感覚の欲求に良く応えられる。【０００７】  第２に、競技盤面群と色駒群とは一緒の容器内に収容する。【０００８】  第３に、上下の２個それ以上の容器は合同形態とすれば、経済性に優れる。【０００９】  第４に、そのためには、容器を２段構えとするのが良い。【００１０】  第５に、色駒に記載の色駒の盤面からの移動や脱落を防止するには、色駒に穴や凹みを明けて盤面に突起を設ければ良い。【００１１】  第６に、ゲーム盤の各種の束は、接続する下側の下段に全部収容するが、その弛みを防止するには、適当なクッション相等類を下箱の上段内面下部に入れる場合も工夫すれば良い。【００１２】  第７に、ゲーム盤の上箱上段内上面深さを減らせば、色駒群を競技途中でも上下の箱を交換すれば、その駒脱落防止でき、それらの脱落防止を確実にするには、クッションやスポンジ、フェルトを挿入すれば、効果的に防止できる。【００１３】  第８に、上下に２段箱の２個を重ねたときに、両者が勝手に外れないように適当な両者の外れ止めと対応する凹みを上段側面と下段内側面に設置する。【００１４】  第９に、上箱と下箱との分離がしやすくするための、取手としての、通常は凹み等を適当な位置に設置すれば、箱数が増加した場合にも外しやすくなる。【００１５】  第１０に、複数個の箱全体を別な１個の簡単な箱に入れることで、散逸防止をさせる場合もある。
【考案の効果】
【００１６】  以下に、本考案の実施の形態を図１〜図７に基づいて説明をする。【００１７】  本考案の実例の１形態としては、図１に示した本考案の２段の箱１の立面図（ａ）と平面図（ｂ）が代表とされる。【００１８】  図１（ａ）の箱１の取手７側から眺めた立面図が２段状で、その平面図が図１（ｂ）であるが、真上から見た上面の表面６上には、整数Ｎを１２とした場合での、（２Ｎ−１）２個の突起５が、この突起５の形態については限定されないが、色駒１１の着脱が容易であるようにして、整然と突出させてあり、その数は、縦横２３個ずつである。【００１９】  図６には、箱１の表面６上のゲーム盤設置面２の破線内面上に被せて各種のゲームが交換できるようにしたゲーム盤４８の最大限の場合の１２ゲームの平面図の１例を示してあり、このゲーム盤４８面上には、色駒１１を全面に縦横に偶数の１２個ずつ全１４４個が並べられる様な穴４１が（２×１２−１）２＝５２９個明けてある。従って、色駒１１の縦横の幅は、隣接する２本の盤面上駒区切り縦横線２８間の幅よりも、少なくても特定区画太線３０の太線幅分だけは小さく作製されてある。【００２０】他の１例として、最大整数Ｎより小のｎ＝７の奇数の場合のゲーム盤４８を、図７に示した。【００２１】  前２項「００１９」と「００２０」との両者は、共に同一の中心穴４７の位置が共に、箱１の中心と一致していることを示している事実は、突起５の数が、色駒１１のｎゲームのｎが奇数でも偶数でもが、１個について１個とする場合には色駒１１の半個分だけどちらかがずれてしまうのに対して、ずれないので、ゲーム盤の見掛けも競技盤面の見栄えもが良くなることを示している。【００２２】  図１（ｂ）の平面図をＡ−Ａで切断して矢印方向に眺めると、図２のようになる。即ち、図１の２段状の箱１は、図２の斜線で示した箱１の形成実体部の中側の空洞部が２段になっている下段空洞部のように、下段の空洞部は上段の実体部が少し緩めに完全に収容されてしまうように形成されてあるが、この時、箱１の下段下内側面３６の４面の中の向かい合う１対の２面の中央に設置の外れ止め３４の１対に、下箱１′の上段の上段外側面４′の４面中央に設置の凹み１９′部分が被せられ嵌入嵌合するようになっており、逆に、両者が少しの力の入れ方でも分離できる様に、外れ止め３４は断面が「く」の字型に形成されてあり、その両者の嵌合状況の側面図を図５に示した。【００２３】  前項「００２２」で、上箱となった箱１の下段の上半分部の空洞部はゲーム盤収納部３２として、ゲーム盤４８の縦横幅は図６、図７の様な、ｎ数や特定区画太線の区切り方を変化させた競技盤の多数を収容できる大きさになっている。【００２４】  前々項「００２２」で、合同な箱１の２個を上下に重ねて嵌合させるだけではなく、必要に応じて、重ねる箱１の数は増加できるようになっているので、同時に多数組の競技が同時一緒に実施したり楽しめたりできる携帯遊具となっている。【００２５】  図５のように、上箱１と下箱１′とを上下に重ね合わせた情況を示す立面図で判るように、下箱１′の上段の表面６′と上箱１の上段下面３９との間の縦幅Ｄは、両方の箱１、１′の上段の縦幅に等しく、上箱１と下箱１′との両者の���段内上段突出部３５と３５′との間の距離の半分に等しいので、箱１の厚さの１／３に当たる。【００２６】  前項「００２５」で、縦幅Ｄの部分に挿入した多数のゲーム盤４８の厚さがＤよりも小さい場合には、下箱１′の上段内上面３１′の突起５′群から色駒１１群が外れやすくなるので、図には示してないが、ビニール等の空気玉を連続させたクッションを色駒１１群の上面に載せたり、スポンジ盤等を挟んでおく場合もある。これらの当物がわずらわしい場合には、フェルトや特殊紙等の外れ止めを挟んだり、蓋を取り付けたりする場合も簡単に実施できる。【００２７】  図１の箱１の２個を重ねて図６や図７やのゲーム盤上の特定区画太線３０の特殊な単位小国の形態構成の組み合わせの競技をしてから、終盤での平和平等地球の国々の建設を最初に達成した終了後には、片づけをせずとも、そのまま上箱１の表面上に色駒１１が雑に並べたままでも、傍らに置いてある色駒のなくなった下箱１′を、上箱１の上に重ねれば、そのままで、片づけ終了としてしまう事ができる形態で、これが、本考案の最大の特色ともなっており、簡便操作の利便性の高さが１番の特性ともなっている。【００２８】箱１に関するＮゲームまで用の携帯ゲーム器の１式を３段以上も重ねておけば、前項「００２７」に次ぐ別の競技を実施の場合には、上から３段目下側に嵌合させてある箱１２′以下の箱を１番上にしてから直ちに新規にゲームが実施できる【００２９】箱１２′以下の箱が重ねてある場合に、色駒の裏表が同一色や番号や模様が記載してあれば、下方の色駒が整理してある箱のの上から最上層の蓋の裏面を下方の箱の上段上面に被せてから裏返しにすれば、ゲームに使用できる態勢が直ちにととのえることができて便利である。【００３０】  また、重ねてある箱１〜１２′以下の箱の重なりから、箱の上に載っている色駒を落とさないように、上段１内部の内面に留められてあるクッションやゲーム盤４８の群や下箱１′の色駒群の上の空間に入れてある競技盤類を静かに取り出し、目的の競技用のゲーム盤を１枚だけでも表面６上に、安定するように各穴４１を突起５に丁寧に差し込みながら、競技をすることもできる。【００３１】  なお、最大整数Ｎを、Ｎ＝ｎ＋ｍ＋…．と表わせる小さい整数のｎ競技盤、ｍ競技盤…に分けての競技の組をやらせるようにする場合も考えて、箱１を２個だけではなく、３個、４個…と重ねて同時一緒に販売等すれば、易しい競技を大勢で楽しめるようにもなるゆえ、そのような箱１を最少で３個にする場合もある。
【産業上の利用可能性】
【００３２】  本案の製作には、プラスチック成型と、色駒の材質に関する同物質・木製・陶製等による成型やそれらの型の形成工業等、又はラベル等の特殊印刷、盤面用紙やその印刷等の多種の産業に利用性が大である。
【図面の簡単な説明】
【００３３】
【図１】  （ａ）は本考案の実施形態の１例を示す１個の箱の形態が、上下２段状である事を示すその立面図であり、（ｂ）は同箱１の最大整数Ｎ＝１２とした状況での、１２２個の突起（５）の状況を示した平面図
【図２】  図１（ｂ）に示した表面を鉛直切断面Ａ−Ａの矢印の向きに眺めた断面図
【図３】  本考案で用いる色駒Ｎ個の中の１個の色番号７の色駒の表面の平面図
【図４】  前図３の色駒と同一の場合もあるが、別競技用にした裏面の１例の平面図
【図５】  本考案の箱１と合同な２個の箱１を上下に重ね嵌合した状況を示す立面図
【図６】  本考案で用いる最大整数Ｎ競技盤のＮを偶数１２とした場合の１２２＝１４４個の穴４１を明けた１２競技盤
【図７】  本考案で用いる最大整数Ｎ競技盤のＮより小さい奇数７を用いた７２＝４９個の穴４１を明けた７競技盤
【符号の説明】
【００３４】１．（上）箱
１′．下箱
２．ゲーム盤設置面
３．        下段外側面
４．        上段外側面
４′．（下箱の）上段外側面
５．        突起
５′．（下箱の）突起
６．        表面
６′．（下箱の）表面
７．        取手
７′．（下箱の）取手
８．        下段内面凹角
９．        下段内面下外角
１０．      下段最下面
１１．      色駒
１２．（上箱の）上段内側面
１２′．（下箱の）上段内側面
１３．      下段上側面
１３′．    （下箱の）下段上側面
１４．      下段上面
１５．      上段上面
１７．      色駒の突起５受け凹部
１８．      色駒の中心穴部
１９．      凹み
１９′．（下箱の）凹み
２０．      将棋駒名称
２１．      色駒裏面色部
２２．      碁用白黒表示円
２３．      チェス駒英名
２４．      チェス駒邦名
２５．      色番号
２６．      上下箱重ね目
２７．      ７ゲーム盤
２８．      盤面上駒区切り縦横線
３０．      特定区画太線
３１．      上段内上面
３１′．（下箱の）上段内上面
３２．ゲーム盤収納部
３３．      下段内上面
３４．      外れ止め
３４′．（下箱の）外れ止め
３５．（上箱の）下段内上段突出部
３５′．（下箱の）下段内上段突出部
３６．      下段下内側面
３６′．（下箱の）下段下内側面
３７．      色番号代表名
３８．箱２個積み底面
３９．上段下面
４０．ゲーム器
４１．      穴
４４．保護蓋
４５．      １２ゲーム盤
４６．      升
４７．      中心穴
４８．      ゲーム盤
４９．      下箱
Ｄ          箱１の厚さの１／３の厚さ
【手続補正３】
【補正対象書類名】図面
【補正対象項目名】全図
【補正方法】変更
【補正の内容】
【図１】
0003133094.tif 000015
【図２】
0003133094.tif 000016
【図３】
0003133094.tif 000017
【図４】
0003133094.tif 000018
【図５】
0003133094.tif 000019
【図６】
0003133094.tif 000020
【図７】
0003133094.tif 000021
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
最大整数Ｎ以下の整数をｎとしてｎゲームが利用できる様にするためのゲーム器（４０）を構成する箱（１）を、
第１に、１辺ａが２００ミリ位の正方形状板で板厚ｂが数ミリの板の中央を両手指で１、２ミリ変位出来る程度の弾性のある材質を用いるとして、
第２に、厚さｂで１辺の長さａの正方形の面（５０）上の中心に点Ｏを打ち、Ｏから上下左右にこの正方形の縦横の等辺方向に全て等距離ｃ毎に（Ｎ−１）個ずつの点を打つと、点Ｏ加えた点の総数が（２Ｎ−１）２となり、この各点に数ミリ単位の太さと高さｈがｂ以下で合同な、色駒（１１）の置き位置を安定させる突起（５）を、余さずに設置し、かつ、これらの突起群の周囲の各辺近くに残った平面部分の幅は等距離ｃの２倍前後としておき、
第３に、板厚ｂで幅ｄが４ｂ程度の長板の長さが（ａ＋ｂ）の個体の４枚分相当を揃え、
第４に、第２の突起群のある正方形の面（５０）の裏面側の１頂点を通る側面の稜線の１端点が、第３の長板個体の幅ｄの１稜線の中点に一致させ、正方形の面（５０）と垂直な１側面を長板の長さ方向に向くように密着させる作業を４回連続させ、長板同士の接触部も密着させると４長板が正４角柱状の升枠を形成するが、この時、この升の内法がａ、外法が（ａ＋２ｂ）の正４角柱枠内に正方形の面（５０）が浅く見える形態が生じる。
第５に、第２の長板で第４と同様な、内法が（ａ＋２ｂ）、外法が（ａ＋４ｂ）の正４角柱の枠を作り、
第６に、上側にした第４の正方形の面（５０）の見える小型の枠を内枠として、この外側の下半分に、下側にした第５の大型の外枠とした正４角柱の高さの上半分とを嵌合密着させて、大小の正４角柱の２段２重形態にしたときの、上側小部分を「上段」、下部分を「下段」と称するが、更に加えて、
第７に、上段の枠が小さい４側面部分の各々の外側中央に、縦方向に「へ」の字型の「凹み」（１９）を付けるのに、第１の正方形板が接触している横方向に平行移動させたように長さｅミリ分を４面の全てに設置し、
第８に、第７での「へ」の字型の凹みの形態を、上段下段合せ目と垂直方向に平行移動させた様な位置での、下段の下側半分の内側の、はめ合わせ残り下部分の面の中央部に、第７での「へ」の字型の横長ｅよりも短めの「へ」の字型の枠内への突起物の「外れ止め」（３４）を、第７の凹みに対応して丁度ピッタリする様に平行な１対の内面に設置し、
第９に、第５での下段の正４角柱枠の平行な１対の２面の外側に、２段重ねや数段重ねした時の箱の取り外し用の「取手」（７）を設置し、１箱のゲーム器が完成する形態の本体に対して、
第１０に、適当な厚さの、Ｎ種の色と、色番号（２５）や中心部に凹みや穴（１８）を開けたりした縦横が２ｃよりも少し小さい正方形近似の色駒（１１）のＮ２個を添付したり、Ｎゲームまでの競技ができるｎゲーム盤の各種をも添付して１箱１組１体として合同な上箱と下箱で１式とし、これにそれら全体の周囲に適当な幅と高さの、この箱（１）の、第１の正方形面上に設置の突起（５）の全てがはめ込める大きさの穴（４１）をＮ２個が穿ってあるゲーム盤（４８）の各種を添付し、時には、突起（５）やの表面（６）を保護するために、１個のゲーム盤（４８）の上段部分を全部覆うことが出来る、適当な面を持つ保護蓋（４４）を設置する場合がある様な、合同な単体のゲーム器（４０）の箱（１）の２体またはそれ以上の偶数体を上下に重ねることで、２体１式で最大４人でＮゲームが楽しめるために、その２体１式のゲーム器について、上段内上面（３１）表面（６）の突起（５）の全群の位置と同じ位置に穴を空けたゲーム盤設置面（２）の正方形状の、穴明けしたゲーム盤（４８）の各種適当枚を添付し構成した、Ｎゲームまで用の携帯ゲーム器。
【手続補正２】
【補正対象書類名】明細書
【補正対象項目名】全文
【補正方法】変更
【補正の内容】
【考案の詳細な説明】
【技術分野】
【０００１】            本考案は、ゲーム盤や色駒としての形態に付いてが、本考案者考案の非特許文献１や同文献２の考案があるだけで、他者での事例は過去にはなかった技術である。
【背景技術】
【０００２】            改善前の考案によれば、携帯用の容器からのゲーム盤からの出し入れがスムーズにできるとは言えず、また、箱形にしても機能的にも機動的にも優れていたとは言えずで複雑すぎていた。そこでの、更なる改良を余儀なくされた結果の、本考案の提出となった基本は、非特許文献１等に起因しているので、その提出から半年経過の状況であるからには、世間では未知の考案である。【０００３】
【非特許文献１】            「実用新案登録証」登録第３１２３６７５号（第１図）考案者は本実用新案登録出願者
【非特許文献２】            「平成１８年８月２８日提出の実用新案登録願」、同補正書提出済み
【考案の開示】
【考案が解決しようとする課題】
【０００４】            上に述べた既登録考案での競技者自身の競技体制を迅速に機能的なゲーム盤とすると同時に、携帯時に、本器だけの持参で任意多種のナッピーゲームが２人乃至４人で楽しめるばかりではなく４人単位の多数組もが楽しめる様にする課題もが前提である。
【課題を解決するための手段】
【０００５】            上に述べた新規の「非特許文献１」等の考案の実用内容の改良と発展の目的を達成するための手段を述べる。【０００６】            上の課題解決のためには、第１に、最も単純な形態としての、透明容器の表面上から透かし見る場合の盤面が間接見えの場合よりは直接にゲーム盤の区切り線が見えた方が確実で手応えある置き駒感触を直ちに得て、競技感覚の欲求に良く応えられる。【０００７】            第２に、ゲーム盤面群と色駒群とは一緒の容器内に収容する。【０００８】            第３に、上下の２個それ以上の容器は合同形態とすれば、経済性に優れる。【０００９】            第４に、そのためには、容器を２段構えとするのが良い。【００１０】            第５に、色駒に記載の色駒の盤面からの移動や脱落を防止するには、色駒に穴や凹みを明けてゲーム盤に穴を明け、それを置く面に突起を設ければ良い。【００１１】            第６に、ゲーム盤の各種の束は、接続する下側の下段に全部収容するが、その弛みを防止するには、適当なクッション相等類を下箱の上段内面下部に入れる場合も工夫すれば良い。【００１２】            第７に、ゲーム盤の上箱上段内上面の深さを減らせば、色駒群を競技途中でも上下の箱を交換すれば、その駒脱落防止でき、それらの脱落防止を確実にするには、前項００１１同様に脱落防止用クッション類を挿入すれば、効果的に防止できる。【００１３】            第８に、上下に２段箱の２個を重ねたときに、両者が勝手に外れないように適当な両者の外れ止めと対応する凹みを上段側面と下段内側面に設置する。【００１４】            第９に、上箱と下箱との分離がしやすくするための、取手としての、通常は凹み等を適当な位置に設置すれば、箱数が増加した場合にも外しやすくなる。【００１５】            第１０に、複数個の箱全体を別な１個の簡単な箱に入れることで、散逸防止効果がある。
【考案の効果】
【００１６】            以下に、本考案の実施の形態を図１〜図７に基づいて説明をする。【００１７】            本考案の実例の１形態としては、図１に示した本考案の２段の箱１の立面図（ａ）と平面図（ｂ）が代表とされる。【００１８】            図１（ａ）の箱１の取手７側から眺めた立面図が２段状で、その平面図が図１（ｂ）であるが、真上から見た上面の表面６上には、最大整数Ｎを１２とした場合での、（２Ｎ−１）２個の突起５が、この突起５の形態については、色駒１１の中心穴部１７の着脱が容易であるようにして、整然と突出させてあり、その数は、縦横２３個ずつである。【００１９】            図６には、箱１の表面６上のゲーム盤設置面２の破線内面上に被せて各種のゲームが交換できるようにしたゲーム盤４８の最大限の場合の１２ゲーム盤の平面図の１例を示してあり、このゲーム盤４８面上には、色駒１１を全面に縦横に偶数の１２個ずつ全１４４個が並べられる様な穴４１が（２×１２−１）２＝５２９個明けてある。従って、色駒１１の縦横の幅は、隣接する２本の盤面上駒区切り縦横線２８間の幅２ｅよりも、少なくても特定区画太線３０の太線幅分だけは小さく作製されてある。【００２０】            他の１例として、最大整数Ｎより小のｎ＝７の奇数の場合のゲーム盤４８を、図７に示した。【００２１】            前２項「００１９」と「００２０」との両者は、両者の中心穴４７の位置が共に、箱１の中心と一致していることを示している事実は、突起５の数が、色駒１１のｎゲームのｎが奇数でも偶数でもが、盤面上に置かれた色駒１１が１個について突起５を１個とした場合には、色駒１１の半個分だけ、どちらかのゲーム盤の外太枠４２が、ゲーム盤設置面２上でずれてしまうのに対して、本考案ではずれないので、ゲーム盤の見掛けもゲーム盤面の見栄えもが良くなることを示している。【００２２】            図１（ｂ）の平面図をＡ−Ａで切断して矢印方向に眺めると、図２のようになる。即ち、図１の２段状の箱１は、図２の斜線で示した箱１の形成実体部の中側の空洞部もが２段になっている下段空洞部のように、下段の空洞部は、他の箱の、上段の実体部が完全に収容されてしまうように、少し緩めに形成されてある。【００２３】  この時、図５の様に、箱１の下段下内側面３６の４面の中の向かい合う１対の２面の中央に設置の、外れ止め３４の１対に、下箱１′の上段の上段外側面４′の４面中央に設置の凹み１９′部分が被せられ、嵌入嵌合するようになっており、逆に、両者が少しの力の入れ方でも分離できる様に、外れ止め３４は断面が「く」の字型に形成されてある。【００２４】            前項「００２３」で、上箱となった箱１の下段の上半分部の空洞部は、ゲーム盤収納部３２として、ゲーム盤４８の縦横幅が、図６、図７の様な、ｎ数や特定区画太線の区切り方を変化させた、各種のゲーム盤の多数を収容できる大きさになっている。【００２５】            前々項「００２３」で、合同な箱１の２個を上下に重ねて嵌合させるだけではなく、必要に応じて、重ねる箱１の数は増加できるようになっているので、同時に多数組の競技が同時一緒に実施したり楽しめたりできる携帯遊具となっている。【００２６】            図５のように、上箱１と下箱��′とを上下に重ね合わせた情況を示す立面図で判るように、下箱１′の上段の表面６′と上箱１の上段下面３９との間の縦幅ｄは、両方の箱１、１′のそれぞれの上段の縦幅に等しく、上箱１と下箱１′との両者の下段内上部突出端３５と３５′との間の距離の半分に等しいので、図５に示した様に、箱１の高さの１／３に当たる。【００２７】            前項「００２６」で、縦幅ｄの部分に挿入した多数のゲーム盤４８の纏めた厚さがｄよりも小さ過ぎる場合には、下箱１′の上段内上面３１′の突起５′群から色駒１１群が外れやすくなるので、図には示してないが、ビニール等の空気玉を連続させたクッションを色駒１１群の上面に載せたり、スポンジ盤等を挟んでおく場合もある。これらの当物がわずらわしい場合には、フェルトや特殊紙類の外れ止めを挟んだり、蓋を取り付けたりする場合も簡単に実施できる。【００２８】            図１の箱１の２箱を重ねて携帯する場合で、色駒１１の１揃いだけを添付して置けば、図６や図７やのゲーム盤上の特定区画太線３０の特殊な単位小国の形態構成の組み合わせの競技をしてから、終盤での平和平等地球の国々の建設を最初に達成した終了後には、片づけをせずとも、そのまま上箱１の表面上に色駒１１が雑に並べられたままでも、傍らに置いてある色駒のなくなった下箱１′を、上箱１の上に重ねれば、そのままで、片づけ終了としてしまう事ができる形態は、これが、本考案の最大の特色ともなっており、簡便操作の利便性の高さが１番の特性ともなっている。【００２９】            箱１に関するＮゲームまで用の携帯ゲーム器の１式を３段以上も重ねておけば、前項「００２７」に次ぐ別の競技を実施の場合には、上から３段目下側に嵌合させてある箱１２′以下の箱を１番上にしてから直ちに新規にゲームが実施できる【００３０】            箱１の下側に（２′−１）個の箱１２′までもの箱が重ねてある場合に、色駒の全ての裏表に同一色や同一番号や同一模様が記載してあれば、最上層の箱１には色駒を置かずに、蓋代わりにさせる様にしておくと、箱の全体を離さず崩さずに上下を裏返しにすれば、ゲームに使用できる態勢が直ちにととのえることができて便利である。【００３１】            なお、最大整数Ｎを、Ｎ＝ｎ＋ｍ＋…．と表わされる小さい整数のｎゲーム盤、ｍゲーム盤…に分けての競技の組をやらせるようにする場合も考えて、箱１を２個だけではなく、３個、４個…と重ねて同時一緒に販売等すれば、易しい競技を大勢で楽しめるようにもなるゆえ、そのような箱１を最少で３個重ねて販売する場合もある。
【産業上の利用可能性】
【００３２】            本案の製作には、プラスチック成型と、色駒の材質に関する同物質・木製・陶製等による成型やそれらの型の形成工業等、又はラベル等の特殊印刷、盤面用紙やその印刷の多種の産業に利用性が大である。
【図面の簡単な説明】
【００３３】
【図１】            （ａ）は本考案の実施形態の１例を示す１個の箱の形態が、上下２段状である事を示すその立面図、（ｂ）は同箱１のゲーム盤設置面２の最大整数Ｎ＝１２とした状況での、、２３２＝５２９個の突起（５）の設置状況を示した平面図
【図２】            図１（ｂ）に示した表面と垂直な切断面Ａ−Ａの矢印の向きに眺めた凹みと外れ止めとの関係位置を示す断面図
【図３】            本考案で用いる色駒のＮ個の中の１個の色番号７の色駒の表面の平面図
【図４】            前図３の色駒と同一の場合もあるが、別種のゲーム兼用にした場合の色駒裏面の１例の平面図
【図５】            本考案の合同な２個の箱１と１′を上下に重ね嵌合した状況を示す立面図
【図６】            本考案で用いる最大整数Ｎを、偶数１２とした場合のゲーム盤の１２２＝１４４個の穴４１を明けた１２ゲーム盤
【図７】            本考案で用いる最大整数Ｎを偶数１２とした場合のゲーム盤のＮより小さい奇数７を用いた７２＝４９個の穴４１を明けた７ゲーム盤
【符号の説明】
【００３５】１．        （上）箱
１′．      下箱
２．        ゲーム盤設置面
３．        下段外側面
４．        上段外側面
４′．      （下箱の）上段外側面
５．        突起
５′．      （下箱の）突起
６．        表面
６′．      （下箱の）表面
７．        取手
７′．      （下箱の）取手
８．        下段内面凹角
９．        下段内面下外角
１０．      下段最下面
１１．      色駒
１２．      （上箱の）上段内側面
１２′．    （下箱の）上段内側面
１３．      下段上側面
１３′．    （下箱の）下段上側面
１４．      下段上面
１５．      上段上面
１７．      凹部
１８．      中心穴
１９．      凹み
１９′．    （下箱の）凹み
２０．      将棋駒名称
２１．      色駒裏面色部
２２．      碁用白黒表示円
２３．      チェス駒英名
２４．      チェス駒邦名
２５．      色番号
２６．      上下箱重ね目
２７．      ７ゲーム盤
２８．      盤面上駒区切り縦横線
３０．      特定区画太線
３１．      上段内上面
３１′．    （下箱の）上段内上面
３２．      ゲーム盤収納部
３３．      下段内上面
３４．      外れ止め
３４′．    （下箱の）外れ止め
３５．      （上箱の）下段内上部突出端
３５′．    （下箱の）下段内上部突出端
３６．      下段下内側面
３６′．    （下箱の）下段下内側面
３７．      色番号代表名
３８．      箱２個積み底面
３９．      上段下面
４０．      ゲーム器
４１．      穴
４２．外太枠
４４．      保護蓋
４５．      １２ゲーム盤
４６．      升
４７．      中心穴
４８．      ゲーム盤
４９．      下箱
５０．正方形の面
ａ．（正方形の）１辺の長さ
ｂ．（長板の）厚さ
ｃ．長板の幅
Ｄ．（箱１の高さの１／３の）厚さ
ｅ．（隣接する突起１１間の）距離
Ｎ．最大整数
Ｏ．正方形の中心
【手続補正３】
【補正対象書類名】図面
【補正対象項目名】全図
【補正方法】変更
【補正の内容】
【図１】
0003133094.tif 000022
【図２】
0003133094.tif 000023
【図３】
0003133094.tif 000024
【図４】
0003133094.tif 000025
【図５】
0003133094.tif 000026
【図６】
0003133094.tif 000027
【図７】
0003133094.tif 000028